(57)【要約】      （修正有）【課題】金槌と鉛筆削りを一体化した金槌を提供する。【解決手段】大工作業で、常時、必要とする作業、又は関連して使用する品物の処理を、一体化することで、作業性の向上を図りつつ、迅速な処理と、大工作業の迅速化が図れる。また、グリップ部の端面積の広がりを利用し、その表面に、鉛筆削りの刃が収まる構造とし、安全性の向上と、刃の破損防止が図れること、又は柄部の軽量化が図れることで、釘打ち作業の迅速化、疲労の軽減化等が図れること等の実益がある。さらには、ハンマと鉛筆削りの一体化を介して、作業を相互補完し、かつ利便性の向上を達成できる。【選択図】図１
0003144260.tif 000002
【実用新案登録請求の範囲】
【請求項１】
ハンマ本体の柄部に設けたグリップ部に、鉛筆削りを内蔵する構造であり、このグリップ部に開口した挿入孔が、前記鉛筆削りの差込み口に連通するとともに、このグリップ部の表面より下った位置に、前記鉛筆削りの刃が設けられる構成とした鉛筆削り付きハンマ。
【請求項２】
請求項１に記載の鉛筆削り付きハンマであって、
前記鉛筆削りは、箱体でなる削り器本体と、この削り器本体に、傾斜状に設けた刃と、この刃と対峙し、かつ同じ傾斜状に設けた誘導片と、この刃と誘導片の間に設けた調整可能な開口で形成する構成とした鉛筆削り付きハンマ。
【請求項３】
請求項１に記載の鉛筆削り付きハンマであって、
前記グリップ部の端部に膨出部位を形成し、この膨出部位の内側に、前記鉛筆削りを内蔵する構成とした鉛筆削り付きハンマ。
【考案の詳細な説明】
【技術分野】
【０００１】
本考案は、鉛筆削り付きハンマに関する。
【背景技術】
【０００２】
大工仕事では、釘と、釘打用のハンマ（金槌）、釘抜き等を使用し、またケガキ等のマークを付する鉛筆を使用し、その他必要とする大工道具を、腰に装着した道具袋（腰袋、収容袋、釘袋等）に収容する。この鉛筆は、主として柱材（柱）、板材、床・壁材等にマークを付すために使用する。この際に、芯がなくなるので、その都度、刃物で削ることが要求される。そして、今までは、刃物を道具袋に収容しておき、必要とする際に、道具袋より取出し削り、終了後に、道具袋に収容する等の所作をして、行なっているのが現況である。しかしながら、これらの一連の所作は、大変厄介であり、手間を要すること、又は鉛筆削りの保管と管理に注意を要すること、等の問題を抱えていた。
【０００３】
以上の問題を解決する手段として、先行文献を、挙げて説明する。
【０００４】
この文献（１）は、実用新案登録第３０５１９７８号の「刃物付金槌」である。この考案は、金槌のはつり側と、柄で構成した隅角に、刃物と、この刃物の保護を図るカバーを設けた構成であり、この考案は、金槌と、カッタを一体化することで、この金槌と、カッタの持ち替えの不便さを解消し、利便性と、作業の迅速化等を図る構造である。
【０００５】
また文献（２）は、実開昭６０−２２２８０号の「ハンマ」である。この考案は、ハンマの柄部（グリップ部）の端部に、鉛筆及び／又は鉛筆芯等を挿入可能な孔を開口する構成であり、この考案は、ハンマと、鉛筆等を一体化することで、このハンマ、鉛筆等の持ち替えの不便さを解消し、利便性と、作業の迅速化等を図る構造である。
【０００６】
【特許文献１】実用新案登録第３０５１９７８号
【特許文献２】実開昭６０−２２２８０号
【考案の開示】
【考案が解決しようとする課題】
【０００７】
文献（１）は、金槌とカッタの考案であり、大工作業で、常時、必要とする作業、又は関連して使用する品物の処理でなく、関連性が薄いことから、それ程の利便性はないと考えられる。そして、また、金槌とカッタでは、作業中に相互に補完することは、全く、考えられないことから、この金槌とカッタの一体化は、有益性が考えられないと思われる。
【０００８】
また文献（２）は、文献（１）に対して、関連して使用する品物の処理であるが、鉛筆を、その都度取付ける構成であるので、手間を要し、面倒であることと、金槌に鉛筆を取付けるための有益性は、それ程考えられない。ことに、金槌に鉛筆を取付けても、鉛筆を有効、かつ自在に使用するには、問題を残している。
【課題を解決するための手段】
【０００９】
請求項１の考案は、大工作業で、常時、必要とする作業、又は関連して使用する品物の処理を、一体化することで、作業性の向上を図りつつ、迅速な処理と、大工作業の迅速化を図ること等を意図する。また、この請求項１の考案は、グリップ部の端面積の広がりを利用し、その表面に、鉛筆削りの刃が収まる構造とし、安全性の向上と、刃の破損防止を図ること、又は柄部の軽量化を図ることで、釘打ち作業の迅速化、疲労の軽減化等を図ることを意図する。さらに請求項１の考案は、ハンマと鉛筆削りの一体化を介して、作業を相互補完し、かつ利便性の向上を達成すること等を意図する。
【００１０】
請求項１は、ハンマ本体の柄部に設けたグリップ部に、鉛筆削りを内蔵する構造であり、このグリップ部に開口した挿入孔が、前記鉛筆削りの差込み口に連通するとともに、このグリップ部の表面より下った位置に、前記鉛筆削りの刃が設けられる構成とした鉛筆削り付きハンマである。
【００１１】
請求項２の考案は、請求項１の目的を達成すること、この目的を達成するに最適な、鉛筆削りを提供することを意図する。
【００１２】
請求項２は、請求項１に記載の鉛筆削り付きハンマであって、
前記鉛筆削りは、箱体でなる削り器本体と、この削り器本体に、傾斜状に設けた刃と、この刃と対峙し、かつ同じ傾斜状に設けた誘導片と、この刃と誘導片の間に設けた調整可能な開口で形成する構成とした鉛筆削り付きハンマである。
【００１３】
請求項３の考案は、請求項１の目的を達成すること、この目的を達成するに最適な、グリップ部の構造を提供することを意図する。
【００１４】
請求項３は、請求項１に記載の鉛筆削り付きハンマであって、
前記グリップ部の端部に膨出部位を形成し、この膨出部位の内側に、前記鉛筆削りを内蔵する構成とした鉛筆削り付きハンマである。
【考案の効果】
【００１５】
請求項１の考案は、ハンマ本体の柄部に設けたグリップ部に、鉛筆削りを内蔵する構造であり、グリップ部に開口した挿入孔が、鉛筆削りの差込み口に連通するとともに、グリップ部の表面より下った位置に、鉛筆削りの刃が設けられる構成とした鉛筆削り付きハンマである。
【００１６】
従って、請求項１は、大工作業で、常時、必要とする作業、又は関連して使用する品物の処理を、一体化することで、作業性の向上を図りつつ、迅速な処理と、大工作業の迅速化が図れること等の特徴を有する。また、この請求項１は、グリップ部の端面積の広がりを利用し、その表面に、鉛筆削りの刃が収まる構造とし、安全性の向上と、刃の破損防止が図れること、又は柄部の軽量化が図れることで、釘打ち作業の迅速化、疲労の軽減化等が図れること等の実益がある。さらに請求項１は、ハンマと鉛筆削りの一体化を介して、作業を相互補完し、かつ利便性の向上を達成できること等の特徴を有する。
【００１７】
請求項２の考案は、請求項１に記載の鉛筆削り付きハンマであって、
鉛筆削りは、箱体でなる削り器本体と、削り器本体に、傾斜状に設けた刃と、刃と対峙し、かつ同じ傾斜状に設けた誘導片と、刃と誘導片の間に設けた調整可能な開口で形成する構成とした鉛筆削り付きハンマである。
【００１８】
従って、請求項２は、請求項１の目的を達成できること、この目的を達成するに最適な、鉛筆削りを提供できること等の特徴を有する。
【００１９】
請求項３の考案は、請求項１に記載の鉛筆削り付きハンマであって、
グリップ部の端部に膨出部位を形成し、膨出部位の内側に、鉛筆削りを内蔵する構成とした鉛筆削り付きハンマである。
【００２０】
従って、請求項３は、請求項１の目的を達成できること、この目的を達成するに最適な、グリップ部の構造をできること等の特徴を有する。
【考案を実施するための最良の形態】
【００２１】
本考案の一例を説明する。
【００２２】
図面の説明をすると、図１は全体の正面図、図２はグリップ部よりみた底面図、図３は鉛筆削りの拡大正面図である。
【００２３】
以下、本考案の構成を説明すると、１はハンマ本体（金槌）で、このハンマ本体１は、打撃部及び／又は釘抜きを備えた頭部１００と、この頭部１００に設けた柄部（柄）１０１で構成する。そして、この柄部１０１の自由端側には、ゴム製のグリップ部２を有する。
【００２４】
このグリップ部２は、人が把持し易い、略楕円形状を呈し、また、頭部１００に与える打撃力を担持するために、所定寸法の長さ（Ｌ）と、断面積（Ｓ）を備えている。そして、このグリップ部２の端部２００の長さ（Ｌ）方向に、鉛筆削り３を内蔵する構造であるが、その好ましい一例を説明すると、鉛筆削り３の差込み口３００と、このグリップ部２の端部２００に開口した挿入孔２０１が連通するとともに、鉛筆削り３の刃３０１が、グリップ部２の表面２ａより下った位置に設ける構造とする。そして、この例の如く、鉛筆削り３を、楕円形の長い径（頭部１００の前後方向１００ａ）に、刃３０１を設けることで、この鉛筆削り３とグリップ部２の馴染みがよく、かつ鉛筆削り３を、確実かつ安定して内蔵できる利点がある。尚、この際に、市販の鉛筆削り３を内蔵することも可能となり、有益であることと、経済性がある。また、鉛筆削り３の刃３０１が、表面２ａより下った位置（下側）にあることから、グリップ部２を把持しても怪我することなく有益である。前記グリップ部２の端部２００を膨出部位２ｂとすることで、グリップ部２の把持の容易化、確実化を図りつつ、衝撃に対応できる有益性を有する。
【００２５】
尚、本考案の鉛筆削り３の好ましい一例を、図３を基に説明すると、この鉛筆削り３は、テーパー形式でなる削り器本体３ａと、この削り器本体３ａに傾斜状に設けた刃３０１と、この刃３０１と対峙し、かつこの刃３０１と同じ傾斜状に設けた誘導片３ｂと、この刃３０１と誘導片３ｂとの間に設けた調節可能な開口３０２で構成する。これにより、鉛筆削り３の小型化と、グリップ部２への馴染みがよい。
【００２６】
そして、本考案では、既設のハンマ本体（図示せず）に、この種の鉛筆削り３を後付けすることも可能であり、重宝することと、その特徴、利点を即座に利用でき有益であり、実用に供しえること等の特徴を有する。
【００２７】
以下、使用の一例を説明すると、鉛筆を削る場合には、挿入孔２０１を介して、削り側を、この鉛筆削り３の差込み口３００に差込み、その後、鉛筆を、所定の方向に回転することで、順次、削られる。そして、その削り屑は、刃３０１に沿って設けた開口３０２から外部に排出される。
【００２８】
尚、ハンマ本体１は、グリップ部２を把持して、通常と同様に使用される。その際に、グリップ部２を把持しても、刃３０１は表面２ａの下側にあり、怪我すること、又は違和感もなく、従来のグリップ部（図示せず）と遜色がなく有益である。また、鉛筆削り３を、グリップ部２の端部２００の長さ（Ｌ）方向に内蔵する構造であることから、前述した各特徴、利点、有益性が、より確実に達成できる。
【図面の簡単な説明】
【００２９】
【図１】図１は全体の正面図
【図２】図２はグリップ部よりみた底面図
【図３】図３は鉛筆削りの拡大正面図
【符号の説明】
【００３０】
１            ハンマ本体
１００        頭部
１００ａ      前後方向
１０１        柄部
２            グリップ部
２ａ          表面
２ｂ          膨出部位
２００        端部
２０１        挿入孔
３            鉛筆削り
３ａ          削り器本体
３ｂ          誘導片
３００        差込み口
３０１        刃
３０２        開口
Ｌ            長さ
Ｓ            面積
【図１】
0003144260.tif 000003
【図２】
0003144260.tif 000004
【図３】
0003144260.tif 000005